(57)【特許請求の範囲】
【請求項１】
所定の間隔をあけて路面に並設された車止めブロックの隣接する車止めブロック間に跨って架設される棒状の車輪係止体と、該車輪係止体を前記車止めブロックに固定する固定部とからなる車止め補助装置。
【発明の詳細な説明】
【０００１】
【発明の属する技術分野】
本発明は、駐車場や岸壁の端部に沿って路面に所定の間隔をあけて並設された車止めブロックの隣接する車止めブロック間に跨って架設され、車両が車止めブロックを越えてオーバーランすることを防止する車止め補助装置に関する。
【０００２】
【従来の技術】
一般に、駐車場や港湾等の岸壁の端部には、危険防止のため車両の進入を阻止するものとして車止めが設置されている。この車止めとしてコンクリート等で所定長さの角柱状に形成された車止めブロックが多く用いられており、該車止めブロックが駐車場や港湾等の岸壁の端部である進入阻止境界位置に並設されている。この駐車場や港湾等の岸壁の端部に並設されている車止めブロックは、雨水や掃除用廃水が駐車側から前記車止めブロックの外側へ排水されるように、所定の間隔をあけて並設されている。
【０００３】
【発明が解決しようとする課題】
上記の車止めによれば、進行してきた自動車の車輪が車止めブロックに当接しそれ以上の進行が阻止されることにより運転手に進行の限界を知らせ、そして、雨水等の排水は並設された車止めブロック間から行うことができる。しかし、車止めブロックが雨水等の排水のために所定の間隔をあけて並設されている結果、進行してきた自動車の片方の車輪が並設された車止めブロック間に入ってしまった場合、他方の車輪は比較的容易に車止めブロックに乗り上げてしまい、車止めを越えて思わぬ事故を起こすおそれがあるといった問題があった。
【０００４】
本発明の目的は、車止めブロックに取り付けることにより、並設された車止めブロック間を雨水等の排水を可能にした状態で塞ぎ、車止めブロック間の車輪の進入を阻止する車止め補助装置を提供することにある。
【０００５】
【課題を解決するための手段】
上記目的を達成するために、本発明に係る車止め補助装置は、所定の間隔をあけて路面に並設された車止めブロックの隣接する車止めブロック間に跨って架設される棒状の車輪係止体と、該車輪係止体を前記車止めブロックに固定する固定部とからなることを特徴とする。
【０００６】
かかる構成から、所定の間隔をあけて路面に並設された車止めブロックの隣接する車止めブロック間に跨って棒状の車輪係止体を架設し固定部により固定することにより、進行してきた自動車の車輪の片方の車輪が車止めブロックを外れ、車止めブロック間に入ったとしても、この片方の車輪が車止めブロック間に跨って架設された車輪係止体に当接しそれ以上の進行が阻止されることになり、事故をより有効に防止することができ、そして、前記のように、車輪係止体は隣接する車止めブロック間に跨って架設されるので、車輪係止体の下方は開口しており、雨水等の排水は並設された車止めブロック間から行うことができる。
【０００７】
【発明の実施の形態】
以下、本発明に係る車止め補助装置の実施の形態の一例を図面により詳細に説明する。
図１は本発明に係る車止め補助装置の実施の形態の第１例を示す一部省略斜視図、図２は図１に示された車止め補助装置を車止めブロック間に跨って架設した状態を示す斜視図、図３は図１の車止め補助装置を車止めブロックに固定した部位の拡大断面図である。
【０００８】
図１において、１は棒状の車輪係止体、２は車輪係止体１を車止めブロックに固定する固定部であり、車輪係止体１の長手方向両側に設けられている。
【０００９】
前記車輪係止体１にあっては、その長さは所定の間隔をあけて路面に併設されている車止めブロックの隣接する車止めブロック間よりも長く、隣接する車止めブロック間に跨って架設されるように形成されている。また、その形状にあっては特に限定されないが、少なくとも、隣接する車止めブロック間に跨って架設されたとき、車輪係止体１と路面との間に空隙ができることを要する。また、車輪係止体１の材料にあっては、進行してきた自動車の車輪が当接したときに破損してしまわない程度の強度をもつ材料であれば特に限定されるものではなく、例えば、コンクリート、合成樹脂、金属、木等が使用される。
【００１０】
前記車輪係止体１を車止めブロックに固定する固定部２にあっては、本例では車止めブロックに上方から嵌合する嵌合凹部３を有する断面略コ字状に形成され、その両側板４の開口側端部には路面に当接する鍔部５が外側に折曲して形成されており、前記鍔部５にはボルト穴６が形成されている。また、天板７にはその上面に前記車輪係止体１を取り付ける２枚の取り付け板８が立設されており、この２枚の取り付け板８の間に前記車輪係止体１を挿入し、取り付け板８と車輪係止体１とを溶接等の接続手段で接続固定している。
【００１１】
このように構成された車止め補助装置は、次のようにして車止めブロックに固定される。図２、図３に示すように、車輪係止体１の一側にある固定部２を、隣接する一方の車止めブロック９に、その上方から嵌合してその両側板４の開口側端部に形成されている鍔部５を路面１０に当接させ、そして、車輪係止体１の他側にある固定部２を、隣接する他方の車止めブロック９に、その上方から嵌合してその両側板４の開口側端部に形成されている鍔部５を路面１０に当接させ、それぞれの固定部２の両側板４の開口側端部に形成されている鍔部５のボルト穴６からアンカーボルト１１を路面に打ち込む。
【００１２】
これにより、車輪係止体１は固定部２により所定の間隔をあけて路面１０に並設された車止めブロック９，９の隣接する車止めブロック９，９間に跨って架設固定される。
【００１３】
このように、所定の間隔をあけて路面１０に並設された車止めブロック９，９の隣接する車止めブロック９，９間に跨って車輪係止体１を架設し固定部２により固定することにより、進行してきた自動車の車輪の片方の車輪が車止めブロック９，９を外れ、車止めブロック９，９間に入ったとしても、この片方の車輪が車止めブロック９，９間に跨って架設された車輪係止体１に当接しそれ以上の進行が阻止されることになり、事故をより有効に防止することができ、そして、前記のように、車輪係止体１は隣接する車止めブロック９，９間に跨って架設されるので、車輪係止体１の下方は開口しており（図２参照）、雨水等の排水は並設された車止めブロック９，９間から行うことができる。
【００１４】
なお、本例では、固定部２は車止めブロックに上方から嵌合する嵌合凹部３を有する断面略コ字状に形成され、その両側板４の開口側端部には路面に当接する鍔部５が外側に折曲して形成されており、前記鍔部５にはボルト穴６が形成され、このボルト穴６からアンカーボルト１１を路面１０に打ち込むことにより、前記車輪係止体１を車止めブロック９，９に固定するようになっているが、図４に示すように、両側板４にボルト穴６を形成し、このボルト穴６からアンカーボルト１１を車止めブロック９，９に打ち込むことにより、前記車輪係止体１を車止めブロック９，９に固定するようにしてもよく、また、固定部２を車止めブロック９，９に嵌合させ、接着剤等により接着することにより固定してもよい。
【００１５】
図５は、本発明に係る車止め補助装置の実施の形態の第２例を示す一部省略斜視図である。本例の車止め補助装置の固定部２は、車輪係止体１を嵌入するための孔１２が形成されていて、該孔１２に車輪係止体１が挿入されて固定部２と車輪係止体１とが固定されている。その他の構成は、前記第１例と同様である。
【００１６】
本例も第１例と同様にして車止めブロック９，９に固定され、第１例と同様の作用効果を有する。
【００１７】
図６は、本発明に係る車止め補助装置の実施の形態の第３例を示す一部省略斜視図である。本例は、車輪係止体１と固定部２とが一体に設けられている。その他の構成は、前記第１例と同様である。
【００１８】
本例も第１例と同様にして車止めブロック９，９に固定され、第１例と同様の作用効果を有する。
【００１９】
【発明の効果】
以上のように、本発明に係る車止め補助装置によれば、所定の間隔をあけて路面に並設された車止めブロックの隣接する車止めブロック間に跨って架設される棒状の車輪係止体と、該車輪係止体を前記車止めブロックに固定する固定部とからなるので、隣接する車止めブロック間に跨って車輪係止体を架設し固定部により固定することにより、進行してきた自動車の車輪の片方の車輪が車止めブロックを外れ、車止めブロック間に入ったとしても、この片方の車輪が車止めブロック間に跨って架設された車輪係止体に当接しそれ以上の進行が阻止されることになり、事故をより有効に防止することができる。そして、前記のように、車輪係止体は隣接する車止めブロック間に跨って架設されるので、車輪係止体の下方は開口しており、雨水等の排水は並設された車止めブロック間から行うことができる。
【図面の簡単な説明】
【図１】本発明に係る車止め補助装置の実施の形態の第１例を示す一部省略斜視図である。
【図２】図１の車止め補助装置を車止めブロック間に跨って架設した状態を示す斜視図である。
【図３】図１の車止め補助装置を車止めブロックに固定した部位の拡大断面図である。
【図４】第１例の車止め補助装置の固定部の他例を示す断面図である。
【図５】本発明に係る車止め補助装置の実施の形態の第２例を示す一部省略斜視図である。
【図６】本発明に係る車止め補助装置の実施の形態の第３例を示す一部省略斜視図である。
【符号の説明】
１      車輪係止体
２      固定部
３      嵌合凹部
４      側板
５      鍔部
６      ボルト穴
７      天板
８      取り付け板
９      車止めブロック
１０    路面
１１    アンカーボルト
１２    孔
【図１】
0003565807.tif 000002
【図２】
0003565807.tif 000003
【図３】
0003565807.tif 000004
【図４】
0003565807.tif 000005
【図５】
0003565807.tif 000006
【図６】
0003565807.tif 000007